(57)【要約】【課題】悪戯冶具の侵入を検出して、悪戯冶具によって不正にゲームを行うことを防止する。【解決手段】円板体検出器を円板体案内通路の途中部と終端部のそれぞれに配置する。【選択図】 図１
2009157627.tif 000002
【特許請求の範囲】
【請求項１】
円板体投入口から投入された円板体を転送させる傾斜転動レールからなる円板体案内通路と、該円板体案内通路内を転送する円板体を検出する円板体検出器とを有する円板体選別装置において、
前記円板体案内通路は、前記円板体投入口から下方へ向けて延設された第１の円板体案内通路と、該第１の円板体案内通路の下流端から斜め下方に向けて連通状に延設された傾斜転動レールである第２の円板体案内通路とからなり、
前記円板体検出器は、前記第２の円板体案内通路の途中部と終端部にそれぞれ配置し、終端部に配置した円板体検出器は、反射型光センサーを２個併設したことを特徴とする円板体選別装置。
【請求項２】
前記第2の円板体案内通路の途中部に配置した前記円板体検出器は、磁気検出素子であることを特徴とする前記請求項１記載の円板体選別装置。
【請求項３】
前記第2の円板体案内通路の途中部に配置した前記円板体検出器は、振動検出器であることを特徴とする前記請求項１記載の円板体選別装置。
【発明の詳細な説明】
【技術分野】
【０００１】
本発明は、硬貨、あるいは遊戯用メダル等の円板体の真偽を判別し、それを選別する円板体選別装置に関し、特に真円板体と見做した円板体を計数するための円板体検出器に対して、円板体以外のものを用いてあたかも円板体を検出させるような悪戯を防止する技術に関する。
【背景技術】
【０００２】
従来から、スロットマシーン等の遊戯用機械内には、円板体投入口から投入された円板体（硬貨、あるいは遊戯用メダル等）の真偽を判別し、真円板体を収容するとともに、偽円板体を排除するようにした円板体選別装置が配設されている。
【０００３】
この従来の円板体選別装置は、円板体投入口から投入された円板体を転送させる傾斜転動レールの途中に、外径の差異により円板体の真偽を判別する円板体選別手段を配設し、傾斜転動レールへ案内された円板体が真円板体より外径の小さい場合には、偽円板体と見做して下方へ落下させて排除し、また真円板体若しくは真円板体より外径の大きな円板体は、真円板体と見做して傾斜転動レールの下流に案内し収容部へと導くことで、円板体の外径の差異により真偽を判別し選別している。
【０００４】
更に、この従来の円板体選別装置は、傾斜転動レール終端部に円板体検知器を備え、真円板体と見做して収容部へ導く円板体の枚数を計数し、連続的に傾斜転動レールを転送し、収納部へと導かれる円板体の枚数が所定枚数に達したときに、円板体排除手段によって円板体を強制的に落下させている。
【０００５】
ところで、上述した従来の円板体選別装置での円板体検知器は反射型光センサーを使用したものがある。反射型光センサーによる円板体の検知は、反射型光センサーの発光素子から照射された光が円板体案内通路を通過する円板体によって反射され、反射光を該反射型光センサーの受光素子で受光することで行われる。また、反射型光センサーによる円板体の通過は該反射型光センサーの受光素子による受光が所定時間行われることで検出される。
【０００６】
そして、この反射型光センサーは同じものを２個並列させて、円板体が逆流した時に円板体を検出可能にしている。例えば、特許文献１記載のものである。
【特許文献１】特許第３９７６９６８号公報
【０００７】
このような従来の円板体選別装置では、発光ダイオードが装着された悪戯冶具を投入口から挿入し、使用している反射型光センサーの機能を利用して、発光ダイオードを点滅させて反射型光センサーの受光部に受光させ、円板体の投入なしで反射型光センサーが機能するようにし、不正にゲームを行うことが想定できた。
【０００８】
上述した容易に想定可能な不正に対抗するために、既に先行技術として特許文献２に示すような、上述した２個の反射型光センサーの内の１個を磁気センサーに変えたものが知られている。
【特許文献２】特開２００７−３１０５４１号公報
【発明の開示】
【発明が解決しようとする課題】
【０００９】
特許文献２に示すような先行技術においては、特許文献１に示す円板体選別装置に対して行える発光ダイオードを装着した悪戯冶具を用いた行為を防止することが可能になるが、悪戯冶具を発光ダイオードと磁性体を装着したものにすることで、不正にゲームを行えるようにするのは容易に想到可能である。
【００１０】
本願発明は、悪戯冶具をどのように変えても、不正にゲームを行うことができない円板体選別装置を提供することを目的としたものである。
【課題を解決するための手段】
【００１１】
上記課題を解決するために、本発明の円板体検出器は、円板体案内通路の途中部と終端部の壁面に配置され、終端部に配置された円板体検出器は、反射型光センサーを２個併設したものである。これにより、所期の目的を達成することができる。
【発明の効果】
【００１２】
本発明によれば、悪戯冶具が円板体投入口から侵入し、円板体案内通路の途中部に設けられた円板体検出器で検出された後、円板体案内通路終端部に設けられた円板体検出器に達すると、円板体案内通路の途中部に設けられた円板体検出器と終端部に設けられた円板体検出器の両方で悪戯冶具を検出することになり、たとえ前記終端部の円板体検出器が反射型光センサーであって、悪戯冶具が該反射型光センサーの受光部をめがけて発光する様なものであっても、悪戯冶具が円板体案内通路内に侵入したことを検出することができ、悪戯を未然に防ぐことが出来る。
【発明を実施するための最良の形態】
【００１３】
以下、本発明の実施形態を図面に基づいて説明する。
【００１４】
（実施形態の１）
図１は本発明に係わる円板体選別装置１の概念正面図である。
【００１５】
この円板体選別装置１はプラスチック等の合成樹脂で形成された矩形状のメインプレート２と、このメインプレート２の略上方を開閉自在に覆うゲートプレート３と、前記メインプレート２の略下方を開閉自在に覆うカバープレート４とから構成されている。
【００１６】
このうち、ゲートプレート３はその右側方に配設された軸５を介しメインプレート２に対し回動自在に支承され、またこのゲートプレート３は、この軸５に巻回されたコイルバネ６の付勢力により常時はメインプレート２の上方を覆い、このゲートプレート３とメインプレート２との間に後述する第１の円板体案内通路と第２の円板体案内通路とを形成している。
【００１７】
このメインプレート２の表面２ａには、ゲートプレート３とカバープレート４とを取り除いた状態を示す図２のように、円板体投入口１０に上端が連通し、下端が下方へ向け延設された第１の円板体案内通路１１の他方の側壁１１ａと、この第１の円板体案内通路１１の下端に連通し、図面右下方へ向けて連通状に延設された第２の円板体案内通路１２の他方の側壁１２ａが形成されている。
【００１８】
なお、第１の円板体案内通路１１と第２の円板体案内通路１２を構成する各一方の側壁１１ｂ、１２ｂは図１に示すように、ゲートプレート３の裏面３ｂに形成されている。なお、ゲートプレート３の下端には第２の円板体案内通路１２に沿い、メインプレート２側へ折り曲げられた直線状のリブからなる一本の傾斜転動レール３ｃが形成されている。
【００１９】
一方、図１で示すように、上述した第２の円板体案内通路１２には、当該第２の円板体案内通路１２内を転送する円板体をその外径の差異により選別する円板体選別手段２０の主要部が形成されている。
【００２０】
なお、図１及び図２で符号３０は、第２の円板体案内通路１２内を転送する円板体を第２の円板体案内通路１２から強制的に排除する円板体排除手段、符号３１は第２の円板体案内通路１２内を通過する円板体の枚数を検出する円板体検出センサーであり、符号４０は、円板体案内通路１２の途中に位置する円板体検出センサーである。
【００２１】
円板体投入口から投入された真円板体は、第１の円板体案内通路１１を通過し、第２の円板体案内通路１２に達すると、円板体検出センサー４０で検出され、円板体検出センサー３１で検出される。すなわち、真円板体が円板体検出センサー３１で検出される時には、円板体検出センサー４０での検出はあり得ないことになる。
【００２２】
図３及び４は、この円板体選別装置１に悪戯冶具５０が侵入した状態を示す。悪戯冶具５０が侵入すると、先ず円板体検出センサー４０が検出し、悪戯冶具５０を検出し続けて、悪戯冶具５０が円板体検出センサー３１まで達すると円板体検出センサー４０及び３１が悪戯冶具５０を検出することになり、悪戯冶具５０の侵入を容易に判断することができる。
【００２３】
（実施形態の２）
図５は、上述した円板体検出センサー４０がＭＩセンサー４１である場合を示す。この場合には、磁性体で作製された悪戯冶具５０を検出するのに役立つ。
【００２４】
（実施形態の３）
図６は、上述した円板体検出センサー４０が振動センサー４２である場合を示す。この場合には、円板体であれば第２の円板体案内通路１２である傾斜転動レール上に到達した時に該振動センサー４２で検出が可能であるが、悪戯冶具５０が侵入した時には該振動センサー４２の検出がなされないで、円板体検出センサー３１での検出となるので、装置内に悪戯冶具５０が侵入してきたことを容易に判断することができる。
【産業上の利用可能性】
【００２５】
本発明の円板体選別装置は、悪戯冶具によって不正にゲームを行うことを防止できるので、ゲーム機搭載用の円板体選別装置として有用である。
【図面の簡単な説明】
【００２６】
【図１】本発明の実施形態の１における円板体選別装置の正面図。
【図２】同、ゲートプレートとカバープレートを外した正面図。
【図３】同、悪戯冶具の侵入を第２の円板体案内通路内の途中のセンサーで検出した時の図。
【図４】同、悪戯冶具の侵入を第２の円板体案内通路内の全てのセンサーで検出した時の図。
【図５】本発明の実施形態の２における円板体選別装置の正面図。
【図６】本発明の実施形態の３における円板体選別装置の正面図。
【符号の説明】
【００２７】
１  円板体選別装置
２  メインプレート
２ａ  メインプレートの表面
３  ゲートプレート
３ｃ  傾斜転動レール
４  カバープレート
５  軸
６  コイルバネ
１０  円板体投入口
１１  第１の円板体案内通路
１１ａ  第１の円板体案内通路を構成する側壁
１１ｂ  第１の円板体案内通路を構成する側壁
１２  第２の円板体案内通路
１２ａ  第２の円板体案内通路を構成する側壁
１２ｂ  第２の円板体案内通路を構成する側壁
２０  円板体選別手段
３０  円板体排除手段
３１  円板体検出センサー
４０  円板体検出センサー
４１  ＭＩセンサー
４２  振動センサー
５０  悪戯冶具
【図１】
2009157627.tif 000003
【図２】
2009157627.tif 000004
【図３】
2009157627.tif 000005
【図４】
2009157627.tif 000006
【図５】
2009157627.tif 000007
【図６】
2009157627.tif 000008